(57)【要約】      （修正有）【課題】ガスバーナ燃焼用の空気を確実に通流させることが可能な吸気用開口を備え、かつ、天板やカバー体を調理器本体に取り付けるために必要な工程を簡略化して製造コストを抑制することが可能なガス調理器を提供する。【解決手段】調理器本体の上面を覆うように配設され、後方領域に調理器本体の内部に空気を供給するための吸気用開口３０を有する天板１２と、吸気用開口の前方および上方を覆うように配設されたカバー体４０とを備えたガス調理器において、カバー体を天板上に支持する支持体５０と、支持体を天板上に止着するとともに、天板を調理器本体に止着する止着具とを具備し、平面視における吸気用開口の存在領域外の領域において、支持体が天板上に止着されている構成とする。【選択図】図３
2019138488.tif 000002
【特許請求の範囲】
【請求項１】
調理器本体と、前記調理器本体の上面を覆うように配設され、後方領域に前記調理器本体の内部に空気を供給するための吸気用開口を有する天板と、前記吸気用開口の前方および上方を覆うように配設されたカバー体とを備えたガス調理器であって、
前記カバー体が支持体により前記天板上に支持され、
前記支持体が止着具により前記天板上に止着されているとともに、前記天板も前記止着具により前記調理器本体に止着されており、かつ、
平面視における前記吸気用開口の存在領域外の領域において、前記支持体が前記天板上に止着されていること
を特徴とするガス調理器。
【請求項２】
前記支持体が、前記カバー体の位置を規定する位置決め用凹部と、位置決め用凸部とを具備し、
前記カバー体が、前記位置決め用凹部に嵌入することにより、前記カバー体と前記支持体との前後方向の位置関係が規定される嵌入体を具備し、
前記嵌入体が、前記位置決め用凸部が嵌入することにより、前記カバー体と前記支持体との左右方向の位置関係が規定される欠損部を具備し、
前記位置決め用凹部に前記嵌入体が嵌入し、前記欠損部に前記位置決め用凸部が嵌入することにより、前記カバー体の前記支持体に対する前後左右方向の位置決めがなされ、かつ、前記カバー体が所定の姿勢で前記天板上に保持されるように構成されていること
を特徴とする請求項１記載のガス調理器。
【発明の詳細な説明】
【技術分野】
【０００１】
本発明は、ガスバーナを備えたガス調理器に関し、詳しくは、ガス調理器の上面を構成するトッププレートに、ガスバーナの燃焼用の空気を供給するための吸気用開口と、空気の通流を妨げない態様で吸気口を覆うカバー体を備えたガス調理器に関する。
【背景技術】
【０００２】
ガス調理器には、炎孔が設けられたバーナヘッドと、燃料ガスとその燃焼用の一次空気とを混合する混合管とを備えたガスバーナが広く用いられている。そして、そのようなガス調理器には、トッププレート上にバーナヘッドの炎孔が位置し、調理器本体内に燃料ガスと一次空気とを混合する混合管が位置するように構成されたものが多い。
【０００３】
ところで、特許文献１には、トッププレート（天板）の後部に、調理器本体内部への通気口（吸気用開口）を設けるとともに、該通気口（吸気用開口）の前縁側から通気口の上方直近を流れる気流を遮断するフード（カバー体）を設けたガス調理器（ガスコンロ）が記載されている。
【０００４】
そして、フード（カバー体）の後端縁に垂下形成された連結部を、調理器本体の後部から通気口内に起立する被連結部に連結することにより、フードの位置決めを行うとともに、フードを調理器本体に固定するようにしている。
【０００５】
この特許文献１の構成によれば、フードが調理器本体の所定位置に確実に固定された、信頼性の高いガス調理器が得られる。
【先行技術文献】
【特許文献】
【０００６】
【特許文献１】特許第４０２５２１１号公報
【発明の概要】
【発明が解決しようとする課題】
【０００７】
しかしながら、特許文献１の構成の場合、フード（カバー体）の後端縁に垂下形成された連結部が、調理器本体の後部から通気口内に起立する被連結部に連結されるため、垂下形成された連結部および、または、通気口内に起立する被連結部が、通気口を通過する空気の通過抵抗を増加させる要因となり、通気口を通過する空気の通流の妨げになるおそれがある。
【０００８】
また、被連結部を調理器本体に固定するためだけに、ねじ止めなどの工程が必要になり、製造工程の増加により、製造コストが上昇するという問題点がある。
【０００９】
本発明は、上記課題を解決するものであり、天板の後方領域に吸気用開口を備え、吸気用開口の前方および上方を覆うカバー体を備えたガス調理器において、吸気用開口から調理器本体の内部にガスバーナ燃焼用の空気を確実に通流させることが可能で、かつ、天板やカバー体を調理器本体に取り付けるために必要な工程を簡略化して製造コストを抑制することが可能なガス調理器を提供することを目的とする。
【課題を解決するための手段】
【００１０】
上記の目的を達成するために、本発明のガス調理器は、
調理器本体と、前記調理器本体の上面を覆うように配設され、後方領域に前記調理器本体の内部に空気を供給するための吸気用開口を有する天板と、前記吸気用開口の前方および上方を覆うように配設されたカバー体とを備えたガス調理器であって、
前記カバー体が支持体により前記天板上に支持され、
前記支持体が止着具により前記天板上に止着されているとともに、前記天板も前記止着具により前記調理器本体に止着されており、かつ、
平面視における前記吸気用開口の存在領域外の領域において、前記支持体が前記天板上に止着されていること
を特徴としている。
【００１１】
本発明のガス調理器においては、
前記支持体が、前記カバー体の位置を規定する位置決め用凹部と、位置決め用凸部とを具備し、
前記カバー体が、前記位置決め用凹部に嵌入することにより、前記カバー体と前記支持体との前後方向の位置関係が規定される嵌入体を具備し、
前記嵌入体が、前記位置決め用凸部が嵌入することにより、前記カバー体と前記支持体との左右方向の位置関係が規定される欠損部を具備し、
前記位置決め用凹部に前記嵌入体が嵌入し、前記欠損部に前記位置決め用凸部が嵌入することにより、前記カバー体の前記支持体に対する前後左右方向の位置決めがなされ、かつ、前記カバー体が所定の姿勢で前記天板上に保持されるように構成されていること
が好ましい。
【発明の効果】
【００１２】
本発明のガス調理器は、上述のように構成されており、同じ止着具によって、支持体を天板上に止着するとともに、天板を調理器本体に止着するようにしているので（すなわち、止着具が、支持体を天板上に止着する機能と、天板を調理器本体に止着する機能の両方の機能を果たすように構成しているので）、天板を調理器本体に取り付け、カバー体を天板に取り付けるために必要な工程を減らして、製造コストを抑制することが可能なガス調理器を実現することができる。
【００１３】
また、平面視における吸気用開口の存在領域外の領域、すなわち、天板上の吸気用開口が存在する領域以外の領域において、支持体が天板上に止着されているので、支持体が空気の通過抵抗となることを回避して、吸気用開口から調理器本体の内部にガスバーナ燃焼用の空気を確実に通流させること、すなわち、ガスバーナの良好な燃焼を担保することが可能で、かつ、天板やカバー体を調理器本体に取り付けるための工程を減らして製造コストを抑制することが可能なガス調理器を提供することが可能になる。
【００１４】
また、支持体が、カバー体の位置を規定する位置決め用凹部と、位置決め用凸部とを具備し、カバー体が、位置決め用凹部に嵌入することにより、カバー体と支持体との前後方向の位置関係が規定される嵌入体を具備し、嵌入体が、位置決め用凸部が嵌入することにより、カバー体と支持体との左右方向の位置関係が規定される欠損部を具備し、位置決め用凹部に嵌入体が嵌入し、欠損部に位置決め用凸部が嵌入することにより、カバー体の支持体に対する前後方向および左右方向の位置決めがなされ、かつ、カバー体が所定の姿勢で天板上に保持されるように構成した場合、簡単な構成で、カバー体の前後左右方向における位置決めを行うとともに、カバー体を所定の姿勢で天板上に保持することが可能になり、本発明をより実効あらしめることができる。
【図面の簡単な説明】
【００１５】
【図１】本発明の実施形態にかかるガス調理器（ガスコンロ）の斜視図である。
【図２】本発明の実施形態にかかるガス調理器の側面図である。
【図３】本発明の実施形態にかかるガス調理器が備える天板の斜視図である。
【図４】本発明の実施形態にかかるガス調理器が備える天板に支持体を装着する工程の途中状態を示す斜視図である。
【図５】本発明の実施形態にかかるガス調理器が備える天板にカバー体を装着する工程の途中状態を示す斜視図である。
【図６】本発明の実施形態にかかるガス調理器が備えるカバー体の背面図である。
【図７】本発明の実施形態にかかるガス調理器が備える支持体と、該支持体と係合するカバー体が備える嵌入体の要部を示す斜視図である。
【発明を実施するための形態】
【００１６】
以下、本発明の実施形態を示して、その特徴とするところをさらに詳しく説明する。
【００１７】
図１は、本発明の一実施形態にかかるガス調理器１００の外観構成を示す斜視図である。
【００１８】
このガス調理器１００は、図１に示すように、３つのコンロバーナ１０（１０ａ、１０ｂ、１０ｃ）を備えた、キッチンカウンターに埋め込まれて設置されるドロップインタイプ（埋め込み型）のガス調理器である。
【００１９】
また、このガス調理器１００は、調理器本体２０と、調理器本体２０の上面の開口を覆う天板（トッププレート）１２とを備えている。
【００２０】
ガス調理器１００が備える３つのコンロバーナ１０はいずれも、炎孔１が設けられたバーナヘッド２と、燃料ガスとその燃焼用の一次空気とを混合する混合管（図示せず）とを備えたブンゼン式のガスバーナであり、２つのコンロバーナ１０ａ、１０ｂは、天板１２の前方側の左右に、天板１２から上方に炎孔１を有するバーナヘッド２が露出するような態様で配設され、残りの１つのコンロバーナ１０ｃは、天板１２の後方に、天板１２から上方に炎孔１を有するバーナヘッド２が露出するような態様で配設されている。
【００２１】
また、３つのコンロバーナ１０（１０ａ、１０ｂ、１０ｃ）の周囲には、各コンロバーナ１０（１０ａ、１０ｂ、１０ｃ）により加熱される調理容器（図示せず）が載置される五徳１３がそれぞれ配設されている。
【００２２】
また、各コンロバーナ１０（１０ａ、１０ｂ、１０ｃ）の中央には、五徳１３上に載置された調理容器の底部の温度を検出するための温度センサ１４が配設されている。この温度センサ１４は、五徳１３上に載置された調理容器の底面に接することで調理容器の温度を検出する。
【００２３】
また、天板１２上の手前側の領域には、３つのコンロバーナ１０（１０ａ、１０ｂ、１０ｃ）に対する操作、すなわち、点火、消火、炎調節などの操作を行う点消火操作部１５（１５ａ、１５ｂ、１５ｃ）が左右方向に並んで配置されている。
【００２４】
点消火操作部１５（１５ａ、１５ｂ、１５ｃ）はいずれも、下方に押し込みながら所定方向に回す、押し回し操作をすることにより、コンロバーナ１０の点消火や炎調節などを行う押し回し式の点消火操作部である。
【００２５】
また、各点消火操作部１５（１５ａ、１５ｂ、１５ｃ）は、操作つまみ２５（２５ａ、２５ｂ、２５ｃ）を備えている。
【００２６】
なお、このような押し回し操作式のガスバルブの構成は、周知であることから、本明細書では詳細な説明を省略する。
【００２７】
また、調理器本体２０の内部には、上述のバーナヘッド２などとともにコンロバーナ１０（１０ａ、１０ｂ、１０ｃ）を構成する上述の混合管（図示せず）が配設されている。
【００２８】
さらに、本実施形態にかかるガス調理器１００においては、天板１２における後方側の領域に、三つのブンゼン式のコンロバーナ１０（１０ａ、１０ｂ、１０ｃ）の、調理器本体２０内に配設されている混合管に一次空気を供給するための吸気用開口３０（図３、図４、図５参照）が形成されている。なお、本実施形態にかかるガス調理器１００においては、天板１２における後方側の領域に、４つの吸気用開口３０が、左右方向に並んで配設されている。
【００２９】
そして、天板１２における後方側の領域には、通気の通流を妨げない態様で上述の吸気用開口３０を覆うカバー体４０が配設されている。
【００３０】
カバー体４０は、図２に示すように、吸気用開口３０（図３、図４、図５）の前端部より前方側の位置において、天板１２の上面から上方に向かって立ち上がる立ち上がり部４０ａと、吸気用開口３０の上方を覆う上方カバー部４０ｂとを備えている。
【００３１】
＜ガス調理器の特徴的構成＞
次に、本実施形態にかかるガス調理器１００の特徴的な構成について説明する。
【００３２】
本実施形態にかかるガス調理器（ガスコンロ）１００は、天板１２上にカバー体４０を支持する支持体５０を備えている（図２参照）。
【００３３】
支持体５０は、止着具６１によって天板１２上に止着されている（図４、図５参照）。なお、止着具６１としては、ネジ（支持体固定ネジ）が用いられている。
【００３４】
また、支持体５０は、当該支持体５０を天板１２を介して調理器本体２０に取り付けるための支持体固定ネジ（止着具）６１（図４、図５）が挿入されるネジ挿入孔５０ａ（図７）を備えている。
【００３５】
そして、本実施形態にかかるガス調理器１００では、支持体５０が、平面視における吸気用開口３０の存在領域外の領域、すなわち、天板１２上の吸気用開口３０が存在する領域以外の領域において、支持体固定ネジ（止着具）６１により、天板１２上に止着されている（図５参照）。
【００３６】
さらに、支持体５０を天板１２に止着している支持体固定ネジ（止着具）６１によって、天板１２も調理器本体２０に止着されている。
すなわち、支持体固定ネジ（止着具）６１が、支持体５０を天板１２に止着する治具として機能するとともに、天板１２を調理器本体２０に止着する治具としても機能するように構成されている。
【００３７】
本実施形態のガス調理器１００は、このように構成されており、支持体５０が、平面視における吸気用開口３０の存在領域外の領域に配設するようにしているので、吸気用開口３０を通過する空気の通流が支持体５０によって妨げられることなく、適正に行われる。
【００３８】
また、支持体固定ネジ（止着具）６１によって、天板１２が調理器本体２０に止着されるとともに、この支持体固定ネジ（止着具）６１によってカバー体４０を支持する支持体５０が天板１２上に止着されるので、天板１２を調理器本体２０に取り付け、カバー体４０を天板１２に取り付けるために必要な工程を減らして、製造コストを抑制することができる。
【００３９】
また、本実施形態のガス調理器１００では、図７に示すように、支持体５０が、カバー体４０の位置を規定する位置決め用凹部５１および位置決め用凸部５２を備えている。
【００４０】
また、カバー体４０は、支持体５０の上記位置決め用凹部５１に嵌入することにより、カバー体４０と支持体５０との前後方向（図１において矢印Ａで示す方向）の位置関係が規定される嵌入体（凸条部）４２（図６、図７）を備えている。
【００４１】
さらに、上記カバー体４０の嵌入体（凸条部）４２は、支持体５０の位置決め用凸部５２が嵌入することにより、カバー体４０と支持体５０との左右方向（図１において矢印Ｂで示す方向）の位置関係が規定される欠損部４３を具備している。なお、欠損部４３は、嵌入体（凸条部）４２の長手方向の途中部に設けられている（図６、図７参照）。
【００４２】
そして、支持体５０の位置決め用凹部５１に、カバー体４０の嵌入体４２が嵌入するとともに、カバー体４０の欠損部４３に支持体５０の位置決め用凸部５２が嵌入することにより、カバー体４０の支持体５０に対する方向の位置決めと、左右方向の位置決めがなされるとともに、カバー体４０が意図する姿勢で、天板１２上に保持、固定されることになる。
【００４３】
すなわち、図７を参照しつつ説明すると、
（ａ）支持体５０の位置決め用凹部５１に、カバー体４０の嵌入体４２が嵌入するとともに、カバー体４０の欠損部４３に支持体５０の位置決め用凸部５２が嵌入すると、支持体５０の位置決め用凹部５１を構成する前方側内壁５１ａと後方側内壁５１ｂとが、嵌入体４２をその厚み方向から挟み込むことで、カバー体４０の前後方向（矢印Ａの方向）の位置決めが行われ、
（ｂ）カバー体４０の欠損部４３に支持体５０の位置決め用凸部５２が嵌入すると、支持体５０の位置決め用凸部５２に形成されている一対の位置決め用凹部５１の、前後方向（矢印Ａの方向）に沿う内壁（前後方向内壁）５１ｃのそれぞれが、カバー体４０の欠損部４３の略垂直の一対の内壁４３ａと係合することで、カバー体４０の左右方向（矢印Ｂの方向）の位置決めが行われ、さらに、
（ｃ）上述のように、支持体５０の位置決め用凹部５１に、カバー体４０の嵌入体４２が嵌入するとともに、カバー体４０の欠損部４３に支持体５０の位置決め用凸部５２が嵌入することで、カバー体４０が意図する姿勢で、天板１２上に保持、固定されることになる。
【００４４】
したがって、カバー体４０を取り付けるに当たって、複雑な工程を必要とすることなく、天板１２上の所定の位置に、所定の姿勢でカバー体４０を配設することが可能になる。
【００４５】
次に、支持体を天板１２上に止着する手順について説明を行う。
【００４６】
まず、支持体固定ネジ（止着具）６１を支持体５０のネジ挿入孔５０ａに挿入した後、天板１２に設けたネジ挿通孔（図示せず）を経て、支持体固定ネジ（止着具）６１を、調理器本体２０に形成したネジ穴（内周面に雌ネジが形成されたネジ穴）（図示せず）に螺入することで、支持体５０と天板１２の両方を同時に調理器本体２０に止着する（図４、図５参照）。具体的には、支持体５０は天板１２上に止着される。  
【００４７】
このとき、支持体５０は、平面視における吸気用開口３０の存在領域外の天板１２上の領域に配設される（図５参照）。
【００４８】
その後、カバー体４０の下方に設けられた嵌入体（凸条部）４２を支持体５０に形成された位置決め用凹部５１に嵌入するとともに、支持体５０が備える位置決め用凸部５２を嵌入体４２に形成された欠損部４３に嵌入する。
【００４９】
これにより、図１、図２、図３に示すように、カバー体４０が、左右前後方向に位置決めされ、かつ所定の姿勢を保った状態で天板１２上に保持された状態に至る。
【００５０】
したがって、本発明によれば、支持体５０が通気抵抗となることを回避して、ガスバーナ燃焼用の空気を確実に通流させることが可能な吸気用開口３０を備え、かつ、天板１２やカバー体４０を調理器本体２０に取り付けるために必要な工程を簡略化して製造コストを抑制することが可能なガス調理器を提供することができるようになる。
【００５１】
なお、本実施形態においては、止着具として、支持体固定ネジを用いているが、止着具の種類に特別の制約はなく、ネジ以外のもの、例えば調理器本体に圧入されるピンなどによって止着具を構成することも可能である。
【００５２】
本発明は、上記実施形態に限定されるものではなく、本発明の範囲内において種々の変形を加えることが可能である。
【符号の説明】
【００５３】
１      炎孔
２      バーナヘッド
１０（１０ａ、１０ｂ、１０ｃ）    コンロバーナ
１２    天板
１３    五徳
１４    温度センサ
１５（１５ａ、１５ｂ、１５ｃ）    点消火操作部
２０    調理器本体
２５（２５ａ、２５ｂ、２５ｃ）    操作つまみ
３０    吸気用開口
３０ａ  吸気用開口の前端部
４０    カバー体
４０ａ  立ち上がり部
４０ｂ  上方カバー部  ４２    嵌入体（凸条部）
４３    欠損部（嵌入体（凸条部）に形成された凹部）
４３ａ  欠損部の略垂直の一対の内壁
５０    支持体
５１    位置決め用凹部
５１ａ  位置決め用凹部の前方側内壁
５１ｂ  位置決め用凹部の後方側内壁
５１ｃ  位置決め用凹部の前後方向内壁
５２    位置決め用凸部
６１    支持体固定ネジ（止着具）
１００  ガス調理器
【図１】
2019138488.tif 000003
【図２】
2019138488.tif 000004
【図３】
2019138488.tif 000005
【図４】
2019138488.tif 000006
【図５】
2019138488.tif 000007
【図６】
2019138488.tif 000008
【図７】
2019138488.tif 000009